(57)【要約】【課題】「延焼のおそれのある部分」に対応する耐火認定障子を組み込んだカーテンウォール構造と、「それ以外の部分」に対応するカーテンウォール構造とで室外側及び室内側からの外観を同じにする。【解決手段】延焼のおそれのある部分以外の窓部では、前記方立２，２と無目１１、１１とによって形成された各開口枠において、周方向に沿って形成された溝部にガラスＧを嵌合支持する構造とし、延焼のおそれのある部分の窓部では、框４〜７によって枠組みされ、ガラスＧ２を嵌合させた耐火認定障子３を前記方立２，２と無目９，１０とによって形成された各開口枠に嵌め込んで支持するとともに、前記耐火認定障子３の縦框６，７は、その見付け幅を前記方立２の見付けフランジ部２Ｃからはみ出さない幅に設定するとともに、ガラスＧ２よりも室内側縦框の見込み面が前記方立２の方形枠部２１の側面と面一となっている。【選択図】図２
2010106517.tif 000002
【特許請求の範囲】
【請求項１】
躯体に取り付けた方立と、これら方立間に取り付けた無目とで形成された各開口枠にガラス又はガラスユニットを取り付ける手順によって壁面を構築するノックダウン式のカーテンウォールにおいて、
前記方立は、一方側分割方立と他方側分割方立とを組合せて所定の閉合断面を成す分割方立とされ、前記一方側方立と他方側方立とで前記ガラス又はガラスユニットを嵌合させる溝部の深さを変えてあり、かつ室内側に方形枠部を有するとともに、室外側に外部に露出する見付けフランジ部を有し、この見付けフランジ部によって前記ガラス又はガラスユニットを嵌め込むための溝部の室側壁が形成され、
延焼のおそれのある部分以外の窓部では、前記方立と無目とによって形成された各開口枠において、周方向に沿って形成された溝部にガラスを嵌合支持する構造とし、
延焼のおそれのある部分の窓部では、框によって枠組みされ、ガラスを嵌合させた耐火認定障子を前記方立と無目とによって形成された各開口枠に嵌め込んで支持するとともに、前記耐火認定障子の縦框は、その見付け幅を前記方立の見付けフランジ部からはみ出さない幅に設定したことを特徴とするカーテンウォール。
【請求項２】
前記延焼のおそれのある部分以外の窓部では、前記方立に縦増縁を設置し、この縦増縁と前記見付けフランジ部とによってガラス嵌合溝が形成されるとともに、前記縦増縁の見込み面が前記方立の側面と面一となっており、
前記延焼のおそれのある部分の窓部では、前記耐火認定障子の縦框は、ガラスよりも室内側縦框の見込み面が前記方立の方形枠部の側面と面一となっている請求項１記載のカーテンウォール。
【請求項３】
前記延焼のおそれのある部分以外の窓部における無目部の見付け幅と、前記延焼のおそれのある部分の窓部における無目部の見付け幅とを同じに設定してある請求項１、２いずれかに記載のカーテンウォール。
【発明の詳細な説明】
【技術分野】
【０００１】
本発明は、外壁の一部（延焼のおそれのある部分）に耐火認定障子を嵌め込んだ耐火仕様のカーテンウォールであって、特には低階層用のカーテンウォールに関する。
【背景技術】
【０００２】
特に、１階部分に店舗を含む店舗ビルや低階層用商業ビルなど（以下、纏めて低階層用建物という。）では、ガラス窓を大型化し、歩行者等から店舗内部が良く見えるようにガラスを支持する縦部材および横部材を意匠的にすっきりさせたものが提案されている。
【０００３】
本出願人においても、下記特許文献１において、縦・横枠材の段差を無くしたガラス嵌め殺しのフラット窓構造を提案した。かかる窓構造において採用される縦部材（方立）５０の断面形状は、図１２に示されるように、主縦枠５１と副縦枠５２とを組み合わせて所定の閉合断面を成す分割式方立とされ、主縦枠５１の室外壁５１ａが方立５０の室外壁を構成し、副縦枠５２は縦ガラス開口溝５２Ａを有し、この副縦枠５２は主縦枠５１の室外壁５１ａの室内側に隠れて、副縦枠５２と主縦枠５１とがたとえばビス５３により一体化されて方立５０を構成している。前記副縦枠５２の室外側にはタイト材５４が設けられて、これが主縦枠５１の室外壁５１ａ内面に当接してシールを図るようにしてある。このタイト材５４を境とする副縦枠５２と主縦枠５１との間の空間、並びに主縦枠５１の室外側閉鎖空間の上限端部にはそれぞれ端部シール受け部材５５，５６が設けられている。ガラスＧは前記縦ガラス開口溝５２Ａと、主縦枠５１のガラス開口溝５２Ｂに対して嵌合され、ビード又はシール材によって支持されている。
【０００４】
また、下記特許文献２では、方立を長手方向に沿って左側分割方立と右側分割方立とに分割し、これら左側分割方立と右側分割方立と無目とからなる面材を架設ユニットとして、順次所定の壁面位置に取り付けるようにした割方立方式カーテンウォール構造において、前記左側分割方立及び右側分割方立の内の一方側分割方立より延在させて室外側面に断面略Ｔ字状の見付けフランジを形成し、他方側分割方立の室外側端部を前記見付けフランジの裏面側位置に接合するとともに、前記左側分割方立及び右側分割方立はそれぞれ、中間部分に段状部を有し、前記見付けフランジとにより側方に開口する凹部が形成され、一般部では前記凹部の室内側寄り位置に縦増縁が設置されてガラスが嵌合支持された割方立方式カーテンウォール構造が提案されている。
【０００５】
ところで、平成１９年６月施行の改正建築基準法に伴い、「カーテンウォールの構造方法について（技術的助言）国住指第６１９号」が管轄官庁等に通知された。これによると、建築物におけるカーテンウォールについては、外壁及び開口部の規定が適用されることが明確化された。具体的には、「スパンドレル（外壁のうち上下に重なっている二つの窓その他の開口部の間の部分）、柱形（外壁のうち柱状の部分）その他これらに類する部分」については外壁に対する技術的基準を適用し、「それ以外の部分」については開口部に対する技術的基準を適用することが明確化された。
【０００６】
前記「それ以外の部分」の内、開口部として取り扱われる部分で延焼のおそれのある部分にあっては、建築基準法第２条第９号の２ロに規定する防火設備を用いることが明確化された。ここで、前記「延焼のおそれのある部分」とは、建築基準法第２条６号に、隣地境界線、道路中心線又は同一敷地内の２以上の建築物相互の外壁間の中心から、一階にあっては３ｍ以下、二階以上にあっては５ｍ以下の距離にある建築物の部分をいうと規定されている。
【０００７】
前記「建築基準法第２条第９号の２ロに規定する防火設備」とは、その外壁の開口部で延焼のおそれのある部分に、防火戸その他の政令で定める防火設備（その構造が遮炎性能[通常の火災時における火災を有効に遮るために防火設備に必要とされる性能をいう。]に関して政令で定める技術的基準に適合するもので、国土交通大臣が認めた構造方法を用いるもの又は国土交通大臣の認定を受けたものに限る。）を有することが規定されている。ここで、要求される性能とは、火災による加熱が加えられた場合に、加熱開始後２０分間当該加熱面以外の面に火災を出さないものであることである。
【０００８】
前記「カーテンウォールの構造方法について（技術的助言）国住指第６１９号」においては、上記防火設備を組み込んだカーテンウォール構造の例が示されている（図１３参照）。このカーテンウォール構造では、方立６０，６０及び無目６１，６１による開孔枠に対して、上記性能を満足する防火設備６２（以下、耐火認定障子という。）を嵌め込んだ構造が示されている。
【特許文献１】特開２０００−２６５６０７号公報
【特許文献２】特開２００４−２８５５７３号公報
【発明の開示】
【発明が解決しようとする課題】
【０００９】
しかしながら、図１３に示される耐火認定障子６２を組み込んだカーテンウォール構造の場合、方立の見付けフランジ部（外部に露出する室外側フランジ）の側縁を越えて障子又はサッシ窓の框が露出している。一方で、「延焼のおそれのある部分」とは建築部の一部分に該当するため、それ以外の部分では、従来の一般的なガラス支持構造、すなわち方立の見付けフランジ部と、背面側の中空矩形部分とによって形成されたガラス嵌合溝に対してガラスを嵌合し、シール材等で固定する構造（特許文献１，２等参照）が採用されるため、「延焼のおそれのある部分」と「それ以外の部分」とでカーテンウォールの外観が異なり意匠性を損なうという問題が発生することになる。
【００１０】
また、特に低階層用カーテンウォールの場合は、室内側から方立及び無目部が視認されることになるが、この室内側からの外観においても、「延焼のおそれのある部分」と「それ以外の部分」とでカーテンウォールの外観が異なると意匠性を損なうという問題があった。
【００１１】
そこで本発明の第１の課題は、「延焼のおそれのある部分」に対応する耐火認定障子を組み込んだカーテンウォール構造と、「それ以外の部分」に対応するカーテンウォール構造とで室外側からの外観を同じとし、意匠性を良好とすることにある。
【００１２】
第２に、室内側からの外観も同じくして、意匠性をさらに良好とすることにある。
【課題を解決するための手段】
【００１３】
前記課題を解決するために請求項１に係る本発明として、躯体に取り付けた方立と、これら方立間に取り付けた無目とで形成された各開口枠にガラス又はガラスユニットを取り付ける手順によって壁面を構築するノックダウン式のカーテンウォールにおいて、
前記方立は、一方側分割方立と他方側分割方立とを組合せて所定の閉合断面を成す分割方立とされ、前記一方側方立と他方側方立とで前記ガラス又はガラスユニットを嵌合させる溝部の深さを変えてあり、かつ室内側に方形枠部を有するとともに、室外側に外部に露出する見付けフランジ部を有し、この見付けフランジ部によって前記ガラス又はガラスユニットを嵌め込むための溝部の室側壁が形成され、
延焼のおそれのある部分以外の窓部では、前記方立と無目とによって形成された各開口枠において、周方向に沿って形成された溝部にガラスを嵌合支持する構造とし、
延焼のおそれのある部分の窓部では、框によって枠組みされ、ガラスを嵌合させた耐火認定障子を前記方立と無目とによって形成された各開口枠に嵌め込んで支持するとともに、前記耐火認定障子の縦框は、その見付け幅を前記方立の見付けフランジ部からはみ出さない幅に設定したことを特徴とするカーテンウォールが提供される。
【００１４】
上記請求項１記載の発明においては、「延焼のおそれのある部分以外の窓部」では、前記方立と無目とによって形成された各開口枠において、周方向に沿って形成された溝部にガラスを嵌合支持する構造とし、「延焼のおそれのある部分の窓部」では、框によって枠組みされ、ガラスを嵌合させた耐火認定障子を前記方立と無目とによって形成された各開口枠に嵌め込んで支持するとともに、前記耐火認定障子の縦框は、その見付け幅を前記方立の見付けフランジ部からはみ出さない幅に設定してある。
【００１５】
従って、「延焼のおそれのある部分以外の窓部」と、「延焼のおそれのある部分の窓部」とで室外側からの外観を統一することができ、意匠性が向上する。
【００１６】
低階層用カーテンウォールでは、一方側分割方立と他方側分割方立とを組合せて所定の閉合断面を成す分割方立とする構造が採用され、前記一方側方立と他方側方立とで前記耐火認定障子を嵌合させる溝部の深さを変えた構造とすることがある。
【００１７】
この構造条件の下で、「耐火認定障子の縦框は、その見付け幅を前記方立の見付けフランジ部からはみ出さない幅に設定する」条件を満足させるようにするには、框によって枠組みされ、ガラスを嵌合させた耐火認定障子において、前記溝部の深さに対応して、右側縦框と左側縦框の見付け幅を設定すればよい。
【００１８】
前記第２課題を解決するために請求項２に係る本発明として、前記延焼のおそれのある部分以外の窓部では、前記方立に縦増縁を設置し、この縦増縁と前記見付けフランジ部とによってガラス嵌合溝が形成されるとともに、前記縦増縁の見込み面が前記方立の側面と面一となっており、
前記延焼のおそれのある部分以外の窓部では、前記耐火認定障子の縦框は、ガラスよりも室内側縦框の見込み面が前記方立の方形枠部の側面と面一となっている請求項１記載のカーテンウォールが提供される。
【００１９】
上記請求項２記載の発明では、「延焼のおそれのある部分以外の窓部」では、方立に縦増縁を設置し、この縦増縁と前記見付けフランジ部とによってガラス嵌合溝が形成されるとともに、前記縦増縁の見込み面が前記方立の側面と面一とし、「延焼のおそれのある部分の窓部」では、耐火認定障子の縦框は、ガラスよりも室内側縦框の見込み面が前記方立の方形枠部の側面と面一となっている。
【００２０】
従って、「延焼のおそれのある部分以外の窓部」と、「延焼のおそれのある部分の窓部」とで室外側及び室内側からの外観を統一することができ、さらに意匠性が向上する。
【００２１】
請求項３に係る本発明として、前記延焼のおそれのある部分以外の窓部における無目部の見付け幅と、前記延焼のおそれのある部分の窓部における無目部の見付け幅とを同じに設定してある請求項１、２いずれかに記載のカーテンウォールが提供される。
【００２２】
上記請求項３記載の発明では、方立部以外に横方向の部材となる無目部においても、延焼のおそれのある部分以外の窓部における無目部の見付け幅と、延焼のおそれのある部分の窓部における無目部の見付け幅とを同じに設定してあるため、無目の外観についても、外観を統一することができ、意匠性が向上する。
【発明の効果】
【００２３】
以上詳説のとおり本発明によれば、「延焼のおそれのある部分」に対応する耐火認定障子を組み込んだカーテンウォール構造と、「それ以外の部分」に対応するカーテンウォール構造とで室外側からの外観、好ましくは室外側及び室内側からの外観が同じとなるため、意匠性を良好とすることが可能となる。
【発明を実施するための最良の形態】
【００２４】
以下、本発明の実施の形態について図面を参照しながら詳述する。
【００２５】
本発明に係るカーテンウォールの正面図、図２は図１のII−II線矢視図、図３は図１のIII−III線矢視図である。
【００２６】
本カーテンウォール１は、建物躯体（床）の端部に固定された方立支持金具によって、水平方向に所定の間隔をおいて上下方向に沿って方立２，２…を固定した後、この方立２，２間に上下方向に所定間隔で無目９，１０、１１……を架け渡して形成された各開口枠にガラス又はガラスユニット（耐火認定障子）を取り付ける手順によって壁面を構築するノックダウン式のカーテンウォールである。
【００２７】
そして、「延焼のおそれのある部分以外の窓部」では、前記方立２，２と無目１１，１１とによって形成された各開口枠において、前記方立２に縦増縁２０を設置し、この縦増縁２０と前記見付けフランジ２ｅとによって形成される溝部にガラスＧ１を嵌合支持する構造とするとともに、前記縦増縁２０の見込み面が前記方立２の側面と面一とした構造とし、「延焼のおそれのある部分の窓部」では、框４〜７によって枠組みされ、ガラスＧ２を嵌合させた耐火認定障子３を前記方立２，２と無目９，１０とによって形成された各開口枠に嵌め込んで支持するとともに、前記耐火認定障子３の縦框６，７は、その見付け幅ｂ１，ｂ２を前記方立２の見付けフランジ部２ｅからはみ出さない幅に設定するとともに、ガラスＧ２よりも室内側縦框６，７の見込み面が前記方立２の側面と面一となっているものである。
【００２８】
以下、さらに具体的に詳述する。
〔方立及び無目構造〕
カーテンウォール構造１では、主に図２及び図３に示されるように、方立２が長手方向に沿って左側分割方立２Ａと右側分割方立２Ｂとを組み合わせて所定の閉合断面を成す分割方立とされる。前記左側分割方立２Ａと右側分割方立２Ｂとは、両者が組み合わされた状態では、相対的に室内側位置に略方形断面を成す方立枠部２１が形成され、相対的に室外側位置に窓枠部２２が形成されるようになっている。
【００２９】
前記左側分割方立２Ａは、詳細には図６に示されるように、室内側端部に係合突片２ａが形成されるとともに、その隣接位置に断面Ｌ字状の突片２ｂが形成され、中間部に段状部２ｃが形成され、さらに段状部２ｃから室外側に延びる窓枠壁２ｄの室外側に断面略Ｔ字状の見付けフランジ２ｅが形成された部材である。また、前記段状部２ｃの室内側位置にはリップ状溝２ｊが形成されるとともに、前記見付けフランジ２ｅの裏面側位置には部材長手方向に沿ってピンポケット２ｌが形成された突部２ｋが形成されている。
【００３０】
一方、右側分割方立２Ｂは室内側端部に係合溝部２ｆが形成されるとともに、中間部に段状部２ｇが形成され、さらに段状部２ｇから室外側に延びる窓枠壁２ｈの室外側端部に断面Ｌ字状の接合部２ｉが形成された部材である。また、前記段状部２ｇの室内側位置にはリップ状溝２ｍが形成されている。
【００３１】
前記左側分割方立２Ａと右側分割方立２Ｂとは、同図に示されるように、室内側位置においては左側分割方立２Ａの係合突片２ａが右側分割方立２Ｂの係合溝部２ｆに嵌合され、室外側位置においては、前記見付けフランジ２ｅの裏面側位置にて、左側分割方立２Ａの突部２ｋに右側分割方立２Ｂの接合部２ｉが係合した状態で組み合わされている。前記左側分割方立２Ａと右側分割方立２Ｂとの接合部にはそれぞれタイト材８，８が配設され水密性が確保されている。また、前記左側分割方立２Ａと右側分割方立２Ｂの段状部２ｃ，２ｇと、前記見付けフランジ２ｅとの間に側方に開口する凹部Ｓ、Ｓが形成され、この凹部Ｓ、Ｓの一部がガラスＧ１を嵌合させる嵌め込み部を形成し、また本耐火認定障子３の嵌め込み部を形成するようになっている。前記左側分割方立２Ａと右側分割方立２Ｂとにより１つの方立２を構成することにより、断面の大きな方立とすることができ、構造強度が向上する。なお、前記分割方立は、すっきりとした意匠とすることができ、店舗用サッシとして多く採用されているものである。
【００３２】
一方、前記耐火認定障子３が嵌め込まされる部分の無目９，１０は、図３に示されるように、夫々開口枠の上枠と下枠とを構成する。具体的には、上側スパンドレル部との境界に設置される無目９と、下側スパンドレル部との境界に設置される無目１０である。前記無目９，１０は、方立２に固定された無目ブラケット（図示せず）によって方立２、２間に支持されるようになっている。
【００３３】
前記無目９は、詳細には図４に示されるように、相対的に室内側に位置する第１中空部９Ａと、その室外側面の下部側に連続して設けられた第２中空部９Ｂと、この第２中空部９Ｂの室外側面上部から室外側に向けて水平方向に突出する上段側水平突片９ａと、その下部から断面逆Ｌ字状に延在する下段側垂下片９ｂと、前記第１中空部９Ａの室外側面上部から室外側に延在するとともに、先端に固形ビードを保持するビード保持片９ｃと、第１中空部９Ａの室内側面から垂下する垂下片９ｄとからなる部材である。
【００３４】
そして、前記上段側水平突片９ａに取り付けられた横押縁１２と、前記ビード保持片９ｃとにより上段側ガラス嵌合溝ＭＵが形成されている。前記第１中空部９Ａと第２中空部９Ｂとの下面は平面とされ、室外側に位置する前記下段側垂下片９ｂと、室内側に位置する前記垂下片９ｄとによって、下向きに開口する前記耐火認定障子３の嵌め込み部Ｍ１が形成されるようになっている。
【００３５】
一方、前記無目１０は、詳細には図５に示されるように、中空状の無目本体１０Ａと、その室外側面から断面逆Ｌ字状に延在する垂下片１０ａと、前記無目本体１０Ａの室内側面から上方に起立する起立片１０ｂとから形成された部材であり、前記垂下片１０ａと無目本体１０Ａの室外側面とにより下段側ガラス嵌合溝ＭＬが形成されている。
【００３６】
また、前記起立片１０ｂは、耐火認定障子３の下框５の室内面側が当接するサッシ枠当接受け部を構成するようになっている。
【００３７】
他方、「延焼のおそれのある部分以外の窓部」の無目１１の構造を図９に基づいて説明する。
【００３８】
無目１１は、中空状の無目本体１１Ａと、この無目本体１１Ａの室外側面から室外側に向けて水平方向に突出する上段側水平突片１１ａと、その下部から断面略逆Ｌ字状に延在する下段側垂下片１１ｂと、前記無目本体１１Ａの室外面上部から室外側に延在する上段側ガラス保持片１１ｃとが形成された部材であり、前記上段側水平突片１１ａに取り付けられた横押縁１９と、前記上段側水平突片１１ａとによって上段側ガラス嵌合溝ＭＵが形成され、前記下段側垂下片１１ｂと、無目本体１１Ａの室外面とにより下段側ガラス嵌合溝ＭＬが形成されている。
〔耐火認定障子３の構造〕
耐火認定障子３は、上框４、下框５及び縦框６，７によって四方を枠組みされた枠内にガラスＧ２を嵌合支持させたものであり、火災による加熱が加えられた場合に、加熱開始後２０分間当該加熱面以外の面に火災を出さないものである遮炎性能を有することの認定を受けた防火戸（防火設備）である。
【００３９】
前記上框４は、図７に示されるように、相対的に室内側に位置するとともに、外方側に溝部を臨ませた断面コ字状部４Ａと、相対的に室外側に位置するとともに、内方側に溝部を臨ませたガラス嵌合溝Ｍを形成しているガラス嵌合部４Ｂとから構成されている。前記断面コ字状部４Ａとガラス嵌合部４Ｂとは同じ見付け幅ｋ１となっており、前記断面コ字状部４Ａの内部には２つのビスポケットが形成されている。
【００４０】
前記下框５は、同図７に示されるように、相対的に室内側に位置するとともに、外方側に溝部を臨ませた断面コ字状部５Ａと、この断面コ字状部５Ａの室外面下部から室外側に向けて突出する水平フランジ片５ａと、この水平フランジ片５ａの先端に接合される横押縁１６と、前記断面コ字状部５Ａの室外面上部から室外側に向けて突出するガラス保持片５ｂとから構成されている。前記水平フランジ片５ａと、横押縁１６と、ガラス保持片５ｂとによりガラス嵌合溝Ｍが形成されている。前記断面コ字状部５Ａの内部には２つのビスポケットが形成されている。
【００４１】
前記縦框６，７は、図８に示されるように、相対的に室内側に位置するとともに、外方側に溝部を臨ませた断面コ字状部６Ａ（７Ａ）と、相対的に室外側に位置するとともに、内方側に溝部を臨ませたガラス嵌合溝Ｍを形成しているガラス嵌合部６Ｂ（７Ｂ）とから構成されている。一方の縦框６の見付け幅ｂ１と、他方の縦框７の見付け幅ｂ２とは、方立２の凹部Ｓ、Ｓの深さに対応しており、夫々異ならせてある。
【００４２】
前記上框４，下框５及び縦框６，７は、ビス１３，１３…によって四方枠組みされ、周方向に沿って形成された前記ガラス嵌合溝ＭにガラスＧ２が嵌合支持される。前記ガラスＧ２としては耐火仕様とするために網入りガラスか耐熱ガラスが使用され、ガラス嵌合溝Ｍ内において、ガラス周縁に設置されたバックアップ材及びシール材により支持される。
〔延焼のおそれのある部分の窓部〕
延焼のおそれのある窓部では、図７及び図８に示されるように、前記方立２，２及び無目９，１０によって形成された開口枠に対して耐火認定障子３を嵌め込んで固定する。嵌込みは、框枠４〜７にガラスＧ２を嵌合支持した状態のままで行うようにしてもよいが、本形態例では、四方枠組された框枠４〜７を嵌め込んだ後、ガラスＧ２を嵌合支持させるようにしている。
【００４３】
具体的には、図７に示されるように、前記無目１０の上面に下框５を載置するとともに、前記無目９の嵌め込み部Ｍ１に対して上框４を嵌め込むとともに、図８に示されるように、方立２の方形枠部２１と見付けフランジ２ｅとによって形成される凹部Ｓに対して、縦枠６，７を嵌合させるようにしながら框枠４〜７を開口枠内に設置する。
【００４４】
そして、上框４側では、図７に示されるように、ガラス嵌合溝Ｍの奥壁と無目９を貫くように下側からビス１８を螺入させ、下框５側では、無目１０の起立片１０ｂと下框５を貫くように室内側からビス１８を螺入させることにより固定を図る。
【００４５】
一方、縦框６，７側では、図８に示されるように、ガラス嵌合溝Ｍの奥壁と、方立２の窓枠壁２ｄ，２ｈとを貫くようにビス１８を螺入させることにより固定を図る。また、縦框６，７の室内側面と方立２の方形枠部２１との間には、リップ状溝２ｊ、２ｍに支持された固形シール材２２が介在されるとともに、縦框６，７の室外側面と見付けフランジ２ｅとの間にバックアップ材及びシール材が充填されており、気水密性が確保されるようになっている。
【００４６】
前記框枠４〜７を前記開口枠へ取付けたならば、ガラスＧ２を框枠４〜７内部に嵌込み、下框５に横増縁１６を取り付けた後、図２及び図３に示されるように、バックアップ材１７及びシール材１８により支持させる。
【００４７】
前記耐火認定障子３の縦框６，７は、その見付け幅ｂ１，ｂ２を前記方立２の見付けフランジ２ｅからはみ出さない幅に設定してあるため、耐火認定障子３の取付け状態では、図６に示されるように、見付けフランジ２ｅの側縁位置Ｑは、前記縦框６，７の側縁位置Ｐと同位置か、前記側縁位置Ｐよりも張り出しているため、室外側から見た場合、前記縦框６，７は見付けフランジ２ｅ（見付け幅：Ｂ）によって隠蔽されている。
【００４８】
また、前記縦框６，７は、ガラスＧ２よりも室内側部分の見込み面、すなわち断面コ字状部６Ａ（７Ａ）の見込み面が前記方立２の方形枠部２１の側面と面一となっている。
【００４９】
前記無目９，１０部分では、無目９の見付け幅Ｈ１と、無目１０の見付け幅Ｈ２とが同じ寸法に設定されている。
〔延焼のおそれのある部分以外の窓部〕
延焼のおそれのある部分以外の窓部では、図１０に示されるように、方立２の凹部Ｓ、Ｓにおいて、リップ状溝２ｉと、窓枠壁２ｄ、２ｈ間に跨って縦押縁２０、２１が取り付けられ、この縦押縁２０、２１と前記見付けフランジ２ｅとによりガラス側縁嵌合溝ＭＶが形成され、ガラスＧ１がガラス面を跨いでガラス側縁嵌合溝ＭＶの室外側および室内側に夫々施工されたバックアップ材１７及びシール１８によって支持されている。なお、前記縦押縁２０、２１の係止部は断面形状に応じて適宜決定される。
【００５０】
前記縦増縁２０，２１の見込み面は、前述した「延焼のおそれのある部分の窓部」と同様に、前記方立２の方形枠部２１の側面と面一となっており、「延焼のおそれのある部分」に対応する耐火認定障子を組み込んだカーテンウォール構造と、「それ以外の部分」に対応するカーテンウォール構造とで室外側及び室内側からの外観が同じとなっている。
【００５１】
一方、無目１１側については、図９に示されるように、ガラス嵌合溝ＭＬ、ＭＵに、ガラスＧ１がガラス面を跨いでガラス側縁の室外側および室内側に夫々施工されたバックアップ材１７及びシール１８によって支持されている。また、無目１１の見付け幅Ｈ３は、前述した「延焼のおそれのある部分の窓部」の無目９，１０の見付け幅（Ｈ１、Ｈ２）と同じ寸法に設定されており、「延焼のおそれのある部分の窓部」と「延焼のおそれのある部分以外の窓部」との無目デザインも統一されている。
〔他の形態例〕
(1)前述した耐火認定障子は、一般の窓サッシとしても使用されるものである。コンクリート躯体の開口部に設置される場合は、各框４〜７に外面側にピース状のアンカーを取り付ける。各アンカーには、アンカーブラケットが設けられており、これに躯体に埋め込んだアンカー鉄筋が溶接によって固定される。
(2)上記形態例では、耐火認定障子３のガラスＧ２及びスパンドレル部のガラスＧとして、単層ガラスを嵌め込んだが、図１１に示されるように、複層ガラスを嵌め込むようにしてもよい。なお、図示例では、「延焼のおそれのある部分の窓部」では、耐火認定障子３の縦框６，７は、ガラスＧ２よりも室内側縦框（断面コ字状部６Ａ（７Ａ））の見込み面が前記方立２の方形枠部２１の側面と面一となっていないが、前述した単層ガラスの場合の同様に、面一とすることにより、室内側からの外観も同じにすることができる。
【図面の簡単な説明】
【００５２】
【図１】本発明に係るカーテンウォールの正面図である。
【図２】図１のII−II線矢視図である。
【図３】図１のIII−III線矢視図である。
【図４】図３の要部拡大図（上側無目部分）である。
【図５】図３の要部拡大図（下側無目部分）である。
【図６】図２の要部拡大図（方立部分）である。
【図７】耐火認定障子３の嵌込み要領を示す縦断面図である。
【図８】耐火認定障子３の嵌込み要領を示す横断面図である。
【図９】図１のIX−IX線矢視図である。
【図１０】図１のX-X線矢視図である。
【図１１】複層ガラスとした場合の横断面図である。
【図１２】低階層用カーテンウォールにおける従来のガラス支持構造を示す横断面図である。
【図１３】カーテンウォールの構造方法について（技術的助言）国住指第６１９号におけるカーテンウォール構造例を示す横断面図である。
【符号の説明】
【００５３】
１…カーテンウォール、２…方立、２Ａ…左側分割方立、２Ｂ…右側分割方立、３…耐火認定障子、４…上框、５…下框、６・７…縦框、９・１０・１１…無目、１２・１６…横押縁、２０・２１…縦押縁
【図１】
2010106517.tif 000003
【図２】
2010106517.tif 000004
【図３】
2010106517.tif 000005
【図４】
2010106517.tif 000006
【図５】
2010106517.tif 000007
【図６】
2010106517.tif 000008
【図７】
2010106517.tif 000009
【図８】
2010106517.tif 000010
【図９】
2010106517.tif 000011
【図１０】
2010106517.tif 000012
【図１１】
2010106517.tif 000013
【図１２】
2010106517.tif 000014
【図１３】
2010106517.tif 000015